(57)【要約】【課題】テレビ端子への接続作業が簡単で、外れにくい同軸ケーブル用プラグを提供する。【解決手段】この同軸ケーブル用プラグ１は、同軸ケーブル６の先端部に固定された筒状のシェル１１と、シェル１１に対して回転可能に設けられたナット３と、ナット３の外周部に設けられた環状のグリップ４とを備える。端子ユニット２１の平面部に形成された穴の底に設けられた非突出型のテレビ端子２２にナット３を螺着したときに、グリップ４が壁面の外側に位置するように、ナット３の先端側に所定長のグリップ４に覆われていない部分を設ける。したがって、作業者はグリップ４を指で摘んで容易に螺着できる。【選択図】図３
2010182701.tif 000002
【特許請求の範囲】
【請求項１】
テレビ端子に接続されるネジ式の同軸ケーブル用プラグであって、
同軸ケーブルの先端部に固定された筒状のシェル、
前記シェルに対して回転可能に設けられ、前記テレビ端子に螺着されるナット、
および
前記ナットの外周部に設けられた環状のグリップを備え、
前記ナットの先端側および前記同軸ケーブル側に前記グリップに覆われていない部分を有し、
前記ナットの先端側には前記テレビ端子のネジに対応するネジ孔が形成され、
前記ナットの前記同軸ケーブル側には前記ネジ孔に連通する円形の孔が形成され、
前記円形の孔の内周面に環状の第１の溝が形成され、
前記同軸ケーブルの先端部は前記シェルの一方端部に挿嵌され、
前記シェルの他方端部は前記円形の孔に挿入され、
前記シェルの他方端部の外周面には前記第１の溝に対向する環状の第２の溝が形成され、
さらに、前記第１および第２の溝に挿入され、前記シェルと前記ナットを結合するＣ字型のバネリングを備えたことを特徴とする同軸ケーブル用プラグ。
【請求項２】
テレビ端子に接続されるネジ式の同軸ケーブル用プラグであって、
前記テレビ端子に螺着されるナット、
同軸ケーブルの先端部に固定され、前記ナットを回転可能に支持する筒状のシェル、および
前記ナットの外周部に設けられた環状のグリップを備え、
平面に形成された穴の底に設けられた非突出型の前記テレビ端子に前記ナットを螺着したときに、前記グリップが前記平面の外側に位置するように、前記ナットの先端側に所定長の前記グリップに覆われていない部分を有し、
前記ナットの先端側には前記テレビ端子のネジに対応するネジ孔が形成され、
前記ナットの前記同軸ケーブル側には前記ネジ孔に連通する円形の孔が形成され、
前記円形の孔の内周面に環状の第１の溝が形成され、
前記同軸ケーブルの先端部は前記シェルの一方端部に挿嵌され、
前記シェルの他方端部は前記円形の孔に挿入され、
前記シェルの他方端部の外周面には前記第１の溝に対向する環状の第２の溝が形成され、
さらに、前記第１および第２の溝に挿入され、前記シェルと前記ナットを結合するＣ字型のバネリングを備えたことを特徴とする同軸ケーブル用プラグ。
【請求項３】
工具を用いて前記ナットを回転させられるように、前記ナットの前記同軸ケーブル側に前記グリップに覆われていない部分を有することを特徴とする請求項２に記載の同軸ケーブル用プラグ。
【請求項４】
前記ナットの外周部および前記グリップの内周面には、互いに嵌め合わされる凹凸が設けられている、請求項１から請求項３までのいずれかに記載の同軸ケーブル用プラグ。
【請求項５】
前記グリップの外周面に滑り止めの凹凸が設けられている、請求項１から請求項４までのいずれかに記載の同軸ケーブル用プラグ。
【請求項６】
さらに、前記ナットよりも前記同軸ケーブル側に設けられ、前記同軸ケーブルと前記シェルの接続部を保護する円筒状のケーブルカバーを備え、
前記ケーブルカバーの最大外径は、前記ナットの平径よりも小さい、請求項１から請求項５までのいずれかに記載の同軸ケーブル用プラグ。
【発明の詳細な説明】
【技術分野】
【０００１】
この発明は、同軸ケーブル用プラグに関し、特に、テレビ端子に接続されるネジ式の同軸ケーブル用プラグに関する。
【背景技術】
【０００２】
従来より、壁面のテレビ端子や、テレビチューナを内蔵したパソコンや各種ＡＶ機器のテレビ端子に接続される同軸ケーブル用プラグとして、テレビ端子にカチリと差込むだけで簡単に接続できるワンタッチ式のプラグがある。
【０００３】
ワンタッチ式の同軸ケーブル用プラグの場合、同軸ケーブルが引っ張られるとプラグとテレビ端子との接続が緩みやすく、プラグがテレビ端子から抜けやすいという欠点がある。プラグとテレビ端子との接続が緩んだ状態になると、外部雑音の影響を受けてテレビ画像が乱れてしまうことがある。特に、近年放送が開始されたデジタル放送においては、Ｃ／Ｎ比（搬送波電力対雑音電力比）の劣化を防止して高品質の伝送を実現するために、シールド特性の優れたプラグが求められる。
【０００４】
そこで、テレビ端子から外れにくくシールド特性のよい同軸ケーブル用プラグとして、ネジ式のＦ型プラグが広く使用されている。
【０００５】
図６は、従来のＦ型の同軸ケーブル用プラグ１０１を壁面のテレビコンセント１０２に接続する前の状態を示す図である。図６において、同軸ケーブル用プラグ１０１は、中心導体１１１、ナット１１２、シェル１１３およびカシメリング１１４を含み、同軸ケーブル１１５の先端部に設けられる。同軸ケーブル１１５は、カシメリング１１４によってかしめられてシェル１１３に固定される。ナット１１２は、シェル１１３に対して回転可能なように設けられる。中心導体１１１は、同軸ケーブル１１５の内部の芯線と接続されている。
【０００６】
壁面のテレビコンセント１０２は、壁に設けられた飾り板１２１と、飾り板１２１の中央部に配置され、壁に埋込まれた端子ユニット１２２と、端子ユニット１２２に固定されたＦ型のテレビ端子１２３を含む。このテレビ端子１２３は、壁面から突出しないように、端子ユニット１２２の平面部に形成された穴の底に設けられた非突出型のテレビ端子である。
【０００７】
図７は、従来のＦ型の同軸ケーブル用プラグ１０１を壁面のテレビコンセント１０２に接続した状態を示す図である。図７において、作業者がナット１１２を指で摘んで回転させながら、同軸ケーブル用プラグ１０１をテレビ端子１２３にねじ込んで接続する。このナット１１２は、軸方向の長さが短い。このため、接続作業においてナット１１２をテレビ端子１２３に螺着する際に、指が壁面に当たって作業が難しいという問題があった。また、スパナなどの工具を用いてもナット１１２を確実に螺着するのは困難であった。さらに、ナット１１２は金属製であるため、指で摘むと滑り易いという問題があった。
【０００８】
下記の特許文献１には、壁に沈むように配置されているＦ型コネクターに、Ｆ型プラグを容易に取付けられるようにした同軸プラグ用アダプターが開示されている。この場合、Ｆ型プラグに同軸プラグ用アダプターを装着して使用する。
【先行技術文献】
【特許文献】
【０００９】
【特許文献１】特開平１１−１６７９６３号公報
【発明の概要】
【発明が解決しようとする課題】
【００１０】
このように、Ｆ型の同軸ケーブル用プラグは、テレビ端子から外れにくくシールド特性がよいという特徴があるが、非突出型のテレビ端子には接続しにくいという問題があった。
【００１１】
それゆえに、この発明の主たる目的は、テレビ端子への接続作業が簡単で、外れにくい同軸ケーブル用プラグを提供することである。
【課題を解決するための手段】
【００１２】
この発明に係わる同軸ケーブル用プラグは、テレビ端子に接続されるネジ式の同軸ケーブル用プラグであって、同軸ケーブルの先端部に固定された筒状のシェルと、シェルに対して回転可能に設けられ、テレビ端子に螺着されるナットと、ナットの外周部に設けられた環状のグリップとを備えたものである。ここで、ナットの先端側および同軸ケーブル側にグリップに覆われていない部分を有する。また、ナットの先端側にはテレビ端子のネジに対応するネジ孔が形成され、ナットの同軸ケーブル側にはネジ孔に連通する円形の孔が形成され、円形の孔の内周面に環状の第１の溝が形成される。同軸ケーブルの先端部はシェルの一方端部に挿嵌され、シェルの他方端部は円形の孔に挿入され、シェルの他方端部の外周面には第１の溝に対向する環状の第２の溝が形成される。この同軸ケーブル用プラグは、さらに、第１および第２の溝に挿入され、シェルとナットを結合するＣ字型のバネリングを備える。
【００１３】
この発明に係わる他の同軸ケーブル用プラグは、テレビ端子に接続されるネジ式の同軸ケーブル用プラグであって、同軸ケーブルの先端部に固定された筒状のシェルと、シェルに対して回転可能に設けられ、テレビ端子に螺着されるナットと、ナットの外周部に設けられた環状のグリップとを備えたものである。ここで、平面に形成された穴の底に設けられた非突出型のテレビ端子にナットを螺着したときに、グリップが平面の外側に位置するように、ナットの先端側に所定長のグリップに覆われていない部分を有する。また、ナットの先端側にはテレビ端子のネジに対応するネジ孔が形成され、ナットの同軸ケーブル側にはネジ孔に連通する円形の孔が形成され、円形の孔の内周面に環状の第１の溝が形成される。同軸ケーブルの先端部はシェルの一方端部に挿嵌され、シェルの他方端部は円形の孔に挿入され、シェルの他方端部の外周面には第１の溝に対向する環状の第２の溝が形成される。この同軸ケーブル用プラグは、さらに、第１および第２の溝に挿入され、シェルとナットを結合するＣ字型のバネリングを備える。
【００１４】
好ましくは、工具を用いてナットを回転させられるように、ナットの同軸ケーブル側にグリップに覆われていない部分を有する。
【００１５】
また好ましくは、ナットの外周部およびグリップの内周面には、互いに嵌め合わされる凹凸が設けられている。
【００１６】
また好ましくは、グリップの外周面に滑り止めの凹凸が設けられている。
また好ましくは、さらに、ナットよりも同軸ケーブル側に設けられ、同軸ケーブルとシェルの接続部を保護する円筒状のケーブルカバーを備える。ここで、ケーブルカバーの最大外径は、ナットの平径よりも小さい。
【発明の効果】
【００１７】
この発明に係わる同軸ケーブル用プラグでは、同軸ケーブルの先端部に固定された筒状のシェルと、シェルに対して回転可能に設けられ、テレビ端子に螺着されるナットと、ナットの外周部に設けられた環状のグリップとが設けられ、ナットの先端側および同軸ケーブル側にグリップに覆われていない部分を有する。したがって、作業者がグリップを指で摘んで容易に螺着することができる。このため、テレビ端子への接続作業が簡単で、外れにくい同軸ケーブル用プラグが実現できる。
【００１８】
この発明に係わる他の同軸ケーブル用プラグでは、同軸ケーブルの先端部に固定された筒状のシェルと、シェルに対して回転可能に設けられ、テレビ端子に螺着されるナットと、ナットの外周部に設けられた環状のグリップとが設けられ、平面に形成された穴の底に設けられた非突出型のテレビ端子にナットを螺着したときに、グリップが平面の外側に位置するように、ナットの先端側に所定長のグリップに覆われていない部分を有する。この場合は、非突出型のテレビ端子への接続作業が簡単で、外れにくい同軸ケーブル用プラグが実現できる。
【図面の簡単な説明】
【００１９】
【図１】この発明の一実施の形態による同軸ケーブル用プラグの外観形状を示す斜視図である。
【図２】図１に示した同軸ケーブル用プラグの第１および第２の側面図である。
【図３】同軸ケーブル用プラグを壁面のテレビコンセントに接続した状態を示す図である。
【図４】図３に示したナットがバネリングによってシェルに回転可能なように固定される構造を説明するための第１の図である。
【図５】図３に示したナットがバネリングによってシェルに回転可能なように固定される構造を説明するための第２の図である。
【図６】従来のＦ型の同軸ケーブル用プラグを壁面のテレビコンセントに接続する前の状態を示す図である。
【図７】従来のＦ型の同軸ケーブル用プラグを壁面のテレビコンセントに接続した状態を示す図である。
【発明を実施するための形態】
【００２０】
図１は、この発明の一実施の形態による同軸ケーブル用プラグ１の外観形状を示す斜視図である。図１において、この同軸ケーブル用プラグ１は、ネジ式のＦ型プラグであり、同軸ケーブル６の先端部に設けられる。ナット３およびケーブルカバー５の内部には、同軸ケーブル用プラグ１の本体であるシェルが同軸ケーブル６の先端部に固定されている。ナット３は、内部のシェルに対して回転可能なように設けられる。環状のナットグリップ４は、ナット３の外周部に設けられる。中心導体２は、同軸ケーブル６の内部の芯線と接続されている。円筒状のケーブルカバー５は、同軸ケーブル６と内部のシェルの接続部を保護する。中心導体２およびナット３は金属製である。ナットグリップ４は、たとえば塩化ビニル樹脂（ＰＶＣ）などの樹脂で形成されるか、またはゴムを主材料として形成される柔軟性のある絶縁部材である。ケーブルカバー５は、たとえば塩化ビニル樹脂などの樹脂で形成される柔軟性のある絶縁部材である。
【００２１】
図２（Ａ）（Ｂ）は、それぞれ図１に示した同軸ケーブル用プラグ１の第１および第２の側面図である。図２（Ａ）は同軸ケーブル用プラグ１を軸方向に対して垂直方向から見た側面図であり、図２（Ｂ）は同軸ケーブル用プラグ１を軸方向から見た右側面図である。図２（Ａ）を参照して、ナット３の軸方向の長さＬ１は十分に長く（たとえば、１６．５ｍｍ）、長さＬ１よりも短い幅Ｌ２（たとえば、８．０ｍｍ）のナットグリップ４は、ナット３の中心位置よりも同軸ケーブル６側に配置される。すなわち、ナット３のナットグリップ４に覆われていない部分の先端側の長さＬ３（たとえば、７．０ｍｍ）は、ナットグリップ４に覆われていない部分の同軸ケーブル６側の長さＬ４（たとえば、１．５ｍｍ）よりも十分に長い。また、図２（Ａ）（Ｂ）を参照して、ケーブルカバー５の最大外径Ｌ５（たとえば、１１．０ｍｍ）は、ナット３の平径Ｌ６（たとえば、１２．０ｍｍ）よりも小さい。
【００２２】
図３は、同軸ケーブル用プラグ１を壁面のテレビコンセントに接続した状態を示す図である。図３において、同軸ケーブル６の先端部に網目状のシールド線１５が折返されており、金属製のシェル１１が同軸ケーブル６の先端部にかしめられて固定される。ナット３は、Ｃ字形のバネリング１２によってシェル１１の外周面に回転可能なように固定される。同軸ケーブル６の芯線１６は、所定長だけ露出されており、中心導体２と接続される。シェル１１の内周側には、同軸ケーブル６の芯線１６を固定する同軸スペーサ１３、および中心導体２を固定するピンスペーサ１４が設けられる。シェル１１の外周面には外部突起が設けられており、同軸ケーブル６とシェル１１の接続部にケーブルカバー５が固定される。ナット３の外周部に凹溝が設けられており、ナットグリップ４の内周面に設けられた凸部と嵌め合わされて、ナットグリップ４の位置が軸方向にずれないようになっている。
【００２３】
図４および図５は、図３に示したナット３がバネリング１２によってシェル１１に回転可能なように固定される構造を説明するための第１および第２の図である。図４は、ナット３がシェル１１に固定される前の状態を示す図である。図４において、Ｃ字型のバネリング１２は、シェル１１の外周面に設けられた環状の凹溝に、締付けられた状態で予め収容される。ナット３を軸方向（図４を参照して左方向）に沿って移動させ、ナット３の内周面に設けられた環状の凹溝がバネリング１２の位置まで到達すると、バネリング１２の締付けが緩まって、ナット３に設けられた環状の凹溝にバネリング１２が嵌まり込む。これにより、ナット３がシェル１１に回転可能なように固定される。図５は、ナット３がシェル１１に固定された状態を示す図である。バネリング１２は、弾性に富む金属で形成され、開放端を有するＣ字型の形状を有する。
【００２４】
再び図３を参照して、テレビ端子２２は、テレビコンセントの端子ユニット２１の平面部に形成された穴の底に設けられた非突出型のＦ型のテレビ端子である。このテレビ端子２２に同軸ケーブル用プラグ１を接続する際、作業者はナットグリップ４を指で摘んでナ
ット３をテレビ端子２２に螺着する。作業者がナットグリップ４を指で摘む際に滑り難くするため、ナットグリップ４の外周面には滑り止めの凹凸が設けられている（図２（Ａ）（Ｂ）参照）。さらに、たとえばナット３に六角ナットを用いて、ナットグリップ４の内周側の形状を六角にすることによって、螺着する際にナットグリップ４がナット３に対して回転方向に滑りにくくなる。
【００２５】
また、図２（Ａ）に示したように、ナット３が螺着された状態においてナットグリップ４が壁面の外側に位置するように、ナット３の軸方向の長さＬ１を十分長くし、ナットグリップ４をナット３の中心位置よりも同軸ケーブル６側に配置している。これにより、接続作業においてナットグリップ４を指で摘んでナット３を螺着する際に、指が壁に当たらず作業がしやすい。
【００２６】
さらに、ナット３の同軸ケーブル６側にナットグリップ４に覆われていない部分（長さＬ４）を設けたことによって、スパナ３１をナット３に嵌め込むことができる。これにより、ナットグリップ４を指で摘んでナット３をテレビ端子２２に螺着した後、スパナ３１などの工具をナット３に嵌め込んでナット３をねじ込み、ナット３をテレビ端子２２にさらに強く固定させることができる。さらに、ケーブルカバー５の最大外径Ｌ５をナット３の平径Ｌ６よりも小さくしたことによって、厚みのあるスパナ３１を使用することも可能となる。
【００２７】
以上のように、この実施の形態では、ナット３の軸方向の長さを十分に長くし、ナット３の外周部の所定位置に環状のナットグリップ４を設けたことによって、作業者がナットグリップ４を指で摘んで容易に螺着することができる。また、ナットグリップ４の外周面に滑り止めの凹凸を設けたため、作業者が指でナットグリップ４を摘んでも滑りにくくなっている。さらに、ナット３の外周部に設けられた凹溝と、ナットグリップ４の内周面に設けられた凸部と嵌め合わせることによって、ナットグリップ４の位置が軸方向にずれないようにされている。したがって、非突出型のテレビ端子への接続作業が簡単で、外れにくい同軸ケーブル用プラグが実現できる。
【００２８】
なお、この同軸ケーブル用プラグは、非突出型のテレビ端子に限らず、テレビチューナを内蔵したパソコンや各種ＡＶ機器のテレビ端子への接続にも用いることができる。
【００２９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００３０】
１，１０１  同軸ケーブル用プラグ、２  中心導体、３，１１２  ナット、４  ナットグリップ、５  ケーブルカバー、６，１１５  同軸ケーブル、１１，１１３  シェル、１２  バネリング、１３  同軸スペーサ、１４  ピンスペーサ、１５  シールド線、１６  芯線、２１，１２２  端子ユニット、２２，１２３  テレビ端子、３１  スパナ、１０２  テレビコンセント、１１４  カシメリング、１２１  飾り板。
【図１】
2010182701.tif 000003
【図２】
2010182701.tif 000004
【図３】
2010182701.tif 000005
【図４】
2010182701.tif 000006
【図５】
2010182701.tif 000007
【図６】
2010182701.tif 000008
【図７】
2010182701.tif 000009